(57)【特許請求の範囲】
【請求項１】
長尺部材で形成した瓶の包装材であって、
前記包装材は展開したときに、
瓶の底が置かれる底板部と、
前記底板部の両側に形成され、瓶の側面に嵌る開口と、
前記開口の形成のために打ち抜かれた打ち抜き片と、
前記打ち抜き片が打ち抜かれて残った部分で前記底板部の両側に形成された挟み片と、
前記包装材の長手方向において、前記一対の挟み片の各挟み片の前記包装材の端部側に形成され、組み立てたときに側板となる側板部と、
前記挟み片と前記側板部との間に設けた折り曲げ片と、
両端に形成され切り込みを設けた組合せ片とを備えており、
前記包装材は、前記折り曲げ片の位置で折り曲げ、前記組合せ片同士を組み合わせて、底板部に瓶の底を置いて組み立てた状態で包装箱に収納され、
前記包装材が前記包装箱に収納された状態で、前記挟み片が瓶の側面４箇所に線状に接し、前記包装箱の内面と瓶の側面との間に、前記側板部と前記打ち抜き片が介在することにより緩衝材が二重に介在することを特徴とする瓶の包装材。
【請求項２】
組み立てたときに、前記底板部と前記組合せ片との間に隙間が形成される請求項１に記載の瓶の包装材。
【請求項３】
前記組合せ片の切り込みは、前記組合せ片同士が交差して組み合わさるように形成されている請求項１又は２に記載の瓶の包装材。
【請求項４】
組み立てたときに、前記折り曲げ片同士が突き合わさった部分に、前記打ち抜き片を形成するための切れ目と、前記打ち抜き片を折り曲げるための折り目とで、開口を形成し、前記開口が瓶のネック部を囲むようにした請求項１から３のいずれかに記載の瓶の包装材。
【請求項５】
前記長尺部材は、前記底板部において第１の長尺部材と第２の長尺部材を組み合わせたものである請求項１から４のいずれかに記載の瓶の包装材。
【発明の詳細な説明】
【技術分野】
【０００１】
本発明は、長尺部材で形成した瓶の包装材に関する。
【背景技術】
【０００２】
瓶に酒類を詰めた商品の販売に際し、瓶を包装箱に収納して流通させることが行われている。このことにより、瓶が包装箱で保護されるとともに、商品を持ち易くなり、割れ易く重量のある瓶の取り扱いが容易になる。例えば、下記特許文献１に記載の瓶等のキャリーは包装を兼ねたものであり、ケース本体を立ち上がらせ、即座にキャリーとしての形態を維持できるようにしたものである。
【先行技術文献】
【特許文献】
【０００３】
【特許文献１】実公昭４８−３５８６７号公報
【発明の概要】
【発明が解決しようとする課題】
【０００４】
しかしながら、前記特許文献１の瓶等のキャリーは、組み立てが容易であり、使用性が優れたものではあるが、瓶の保護に特徴を有するものではなかった。通常、瓶の包装箱等において瓶の保護を図るには専用の緩衝構造が必要になり、緩衝構造を備えたものは、構造も組み立ても複雑なものであった。
【０００５】
本発明は、前記のような従来の問題を解決するものであり、瓶の保護を図る緩衝構造を設けつつ、組み立ても容易にした瓶の包装材を提供することを目的とする。
【課題を解決するための手段】
【０００６】
前記目的を達成するために、本発明の瓶の包装材は、長尺部材で形成した瓶の包装材であって、前記包装材は展開したときに、瓶の底が置かれる底板部と、前記底板部の両側に形成され、瓶の側面に嵌る開口と、前記開口の形成のために打ち抜かれた打ち抜き片と、前記打ち抜き片が打ち抜かれて残った部分で前記底板部の両側に形成された挟み片と、前記包装材の長手方向において、前記一対の挟み片の各挟み片の前記包装材の端部側に形成され、組み立てたときに側板となる側板部と、前記挟み片と前記側板部との間に設けた折り曲げ片と、両端に形成され切り込みを設けた組合せ片とを備えており、前記包装材は、前記折り曲げ片の位置で折り曲げ、前記組合せ片同士を組み合わせて、底板部に瓶の底を置いて組み立てた状態で包装箱に収納され、前記包装材が前記包装箱に収納された状態で、前記挟み片が瓶の側面４箇所に線状に接し、前記包装箱の内面と瓶の側面との間に、前記側板部と前記打ち抜き片が介在することにより緩衝材が二重に介在することを特徴とする。
【０００７】
前記本発明の瓶の包装材によれば、包装材を包装箱内に収納したときに、包装材が瓶を包み込んだ状態で、挟み片が瓶の側面を挟みつつ、対向する挟み片の間隔が広がる方向にも、狭まる方向にも変位可能であるので、落下等の衝撃が挟み片により吸収され、瓶が受ける衝撃が弱まることになる。また、包装材を包装箱内に収納した状態では、包装箱内の内面と瓶の側面との間に、挟み片が介在するので、挟み片が緩衝材としても作用するとともに、挟み片は瓶の側面４箇所に線状に接するので、落下等の衝撃が分散され、瓶が受ける衝撃が弱まることになる。さらに、側板部と打ち抜き片とで緩衝材が二重に介在するので、瓶の保護が強化される。加えて、本発明の瓶の包装材によれば、瓶を包装する際の作業工程は少なく、特別な作業もなく、容易に瓶の包装を行うことができる。また、本発明の瓶の包装材は長尺部材で作成できるので、元になる材料の余剰部分が少なくなり、材料を有効利用することが可能になる。
【０００８】
前記本発明の瓶の包装材においては、組み立てたときに、前記底板部と前記組合せ片との間に隙間が形成されることが好ましい。この構成によれば、隙間により衝撃の吸収作用が発揮され、瓶の保護がより強化される。
【０００９】
また、前記組合せ片の切り込みは、前記組合せ片同士が交差して組み合わさるように形成されていることが好ましい。この構成によれば、負荷の大きい瓶の底部を受ける部分が強化され、瓶の保護に有利になる。
【００１０】
また、組み立てたときに、前記折り曲げ片同士が突き合わさった部分に、前記打ち抜き片を形成するための切れ目と、前記打ち抜き片を折り曲げるための折り目とで、開口を形成し、前記開口が瓶のネック部を囲むようにしたことが好ましい。この構成によれば、瓶のネック部の移動が規制されるので、瓶の保護に有利になる。
【００１１】
さらに、前記長尺部材は、前記底板部において第１の長尺部材と第２の長尺部材を組み合わせたものであってもよい。この構成によれば、長尺部材の１枚当たりの長さが短くなるので、元になる材料から長尺部材を打ち抜くための金型の製作が容易になる。
【発明の効果】
【００１２】
本発明によれば、包装材を包装箱内に収納したときに、包装材が瓶を包み込んだ状態で、挟み片が瓶の側面を挟みつつ、対向する挟み片の間隔が広がる方向にも、狭まる方向にも変位可能であるので、落下等の衝撃が挟み片により吸収され、瓶が受ける衝撃が弱まることになる。また、包装材を包装箱内に収納した状態では、包装箱内の内面と瓶の側面との間に、挟み片が介在するので、挟み片が緩衝材としても作用するとともに、挟み片は瓶の側面４箇所に線状に接するので、落下等の衝撃が分散され、瓶が受ける衝撃が弱まることになる。さらに、側板部と打ち抜き片とで緩衝材が二重に介在するので、瓶の保護が強化される。加えて、本発明の瓶の包装材によれば、瓶を包装する際の作業工程は少なく、特別な作業もなく、容易に瓶の包装を行うことができる。また、本発明の瓶の包装材は長尺部材で作成できるので、元になる材料の余剰部分が少なくなり、材料を有効利用することが可能になる。
【図面の簡単な説明】
【００１３】
【図１】本発明の一実施形態に係る包装材の展開図。
【図２】本発明の一実施形態に係る包装材において、展開状態から組み立てる途中の状態の斜視図。
【図３】本発明の一実施形態に係る包装材において、組合せ片同士が組み合わさった状態の斜視図。
【図４】図３の底板部に瓶を置いた状態を示す側面図。
【図５】図４において、瓶の左右の３層構造体を瓶側に押し付けた状態を示した側面図。
【図６】本発明の一実施形態の別の例を示した要部側面図。
【図７】図５において、瓶の上側から見た斜視図。
【図８】本発明の一実施形態において、瓶を包み込んだ包装材を包装箱内に収納する途中の状態を示す斜視図。
【図９】本発明の一実施形態において、包装箱に包装材を収納した状態を示す斜視図。
【図１０】本発明の別の実施形態に係る包装材の展開図。
【図１１】本発明の別の実施形態において、第１の長尺部材と第２の長尺部材とを底板部同士を交差して組み合わせた状態を示す展開図。
【図１２】図１１の展開状態から組み立てる途中の状態の斜視図。
【発明を実施するための形態】
【００１４】
以下、本発明の一実施形態について、図面を参照しながら説明する。図１は、本発明の一実施形態に係る瓶の包装材１の展開図を示している。図２は、展開状態の包装材１を組み立てる途中の状態の斜視図を示している。図１に示したように、展開状態の包装材１は、長尺部材に対して、折り目１０〜１６、切れ目１７〜１８を追加し、長尺部材の一部をカットしたものである。長尺部材は、例えば段ボールであるが、折り曲げ可能な板状部材であればよく、材料の限定も特になく紙でも樹脂でもよい。折り目１０〜１６は、長尺部材の片面に形成したものであり、折り目を形成した側に折り曲げ可能となる。折り目１０と折り目１１〜１６とでは、折り曲げ方向が逆になるが、図１では図示の便宜のため、すべて実線で示した。
【００１５】
図１において、中央部分は瓶の底が置かれる底板部２であり、折り目１０及び切れ目１７が形成されている。底板部２の両側に隣接する部分（符号１９）は、空白部分である。図２において、底板部２の両側には瓶の側面に嵌る開口３が形成されている。この開口３は、図２に示した打ち抜き片４を打ち抜いたことにより形成されたものである。
【００１６】
打ち抜き片４の幅方向の両側の部分が挟み片５であり、これは、打ち抜き片４が打ち抜かれて残った部分で形成された部分である。挟み片５は包装材１の組み立て時には、瓶の側面を挟むように配置される。打ち抜き片４の形状は、長尺部材の所定の範囲内で任意に設定可能である。このため、打ち抜き片４の形状で決定される挟み片５の形状の設定は自由度が高くなり、打ち抜き片４は瓶の形状の合うように適宜設定可能になる。
【００１７】
図１に示したように、包装材１の長手方向において、一対の挟み片５の両側には側板部６を設けている。側板部６は、組み立て時に、包装材１の側面となる部分である。挟み片５と側板部６との間には、折り曲げ片７を設けている。図２に示したように、折り曲げ片７の位置（折り目１３及び１５の位置）で折り曲げることにより、挟み片５と側板部６とが対向するようになる。
【００１８】
図１において、包装材１の両端には、組合せ片８が形成されている。組合せ片８は、切り込み９を設けている。図２は、両端の組合せ片８同士を組み合わせる途中の状態を示している。図２において、一方の組合せ片８の切り込み９に他方の組合せ片８を差し込み、他方の組合せ片８の切り込み９に前記一方の組合せ片８を差し込みことにより、組合せ片８同士が交差して組み合わさる。図３は組合せ片８同士が交差して組み合わさった状態の斜視図を示している。この状態では、包装材１は閉じた環状になっている。各組合せ片８は、切り込み９に差し込まれて組み合わさっているので、横方向（矢印ａ方向）に引っ張っても組み合わせが外れることはなく、閉じた環状の状態を安定して維持可能である。
【００１９】
図４は図３の底板部２に瓶２０を置いた状態を示す側面図である。瓶２０の種類には特に限定はなく、例えば酒類の瓶である。瓶２０の左右において、側板部６、打ち抜き片４及び挟み片５は３層の構造体を形成しているので、これらを総称して、以下「３層構造体」といい図中に符号２５を付す。図３において、底板部２に瓶２０を置くと、底板部２は下方（組合せ片８側）に沈み込む。これに伴い、図４に示したように、瓶２０の左右において、３層構造体２５が上方に起き上がる。
【００２０】
図５は、図４において、瓶２０の左右の３層構造体２５を瓶２０側に押し付けた状態を示している。図５の状態では、３層構造体２５が図４の状態に復元しないように、人の手により押圧力を加えている（矢印ｂ方向）。この状態では、挟み片５の間に形成された開口３（図３参照）に瓶２０の側面が嵌り込むとともに、瓶２０の側面に打ち抜き片４が当接している。図５では、打ち抜き片４は、図１に示した折り目１１及び折り目１２の部分で折り曲げていないが、瓶２０の形状に応じて、折り目１１及び折り目１２の部分で折り曲げて打ち抜き片４を瓶２０の形状に沿うようにしてもよい。詳細は後に説明するとおり、図５の状態で、瓶２０を包み込んだ包装材１が包装箱２１に収納されるので（図８参照）、人の手による押圧力を解除しても、図５の状態が維持される。
【００２１】
本実施形態に係る包装材１は、瓶２０を包み込んだ状態で図５のように構成されるので、包装材１を包装箱２１（図８参照）に収納したときに、瓶２０の保護が強化され、瓶２０の割れ防止にも有利になる。具体的には、図５において、挟み片５は瓶２０の側面を挟みつつ、対向する挟み片５の間隔が広がる方向（矢印ｃ方向）にも、狭まる方向（矢印ｄ方向）にも変位可能である。このため、落下等の衝撃が挟み片５により吸収され、瓶２０が受ける衝撃が弱まることになる。
【００２２】
また、包装材１を包装箱２１に収納した状態では、包装箱２１の内面と瓶２０の側面との間に、挟み片５が介在するので、挟み片５が緩衝材としても作用する。この場合、挟み片５は瓶２０の側面４箇所に線状に接するので、落下等の衝撃が分散され、瓶２０が受ける衝撃が弱まることになる。さらに、包装箱２１の内面と瓶２０の側面との間に、側板部６と打ち抜き片４が介在するので、すなわち緩衝材が二重に介在するので、瓶２０の保護が強化される。
【００２３】
また、図５において、瓶２０の底部には、底板部２に加え、２枚の組合せ片８が交差して配置されている。この構成によれば、負荷の大きい瓶２０の底部を受ける部分が強化され、瓶２０の保護に有利になる。図６は本実施形態の別の例を示している。本図は、包装材１が瓶２０を包み込んだ状態において、瓶２０の底部近傍の側面図を示している。底板部２と組合せ片８との間には、隙間ｅが形成されている。この構成によれば、隙間ｅにより衝撃の吸収作用が発揮され、瓶２０の保護がより強化される。
【００２４】
図７は、図５において、瓶２０の上側から見た斜視図である。折り曲げ片７同士を突き合わせた状態で、開口２６が形成されている。図１において、打ち抜き片４を形成するために切れ目１８が形成され、打ち抜き片４を折り曲げるための折り目１４が形成されている。図７ではこれらの切れ目１８及び折り目１４に沿って、開口２６が形成されている。包装材１を包装箱２１内に収納した状態では、図７のように折り曲げ片７同士を付き合わせた状態が維持されるので、開口２６も維持される。図７に示したように、開口２６は瓶２０のネック部を囲むように形成されている。この構成では、瓶２０のネック部の移動が規制されるので、このことによっても、瓶２０の保護に有利になる。
【００２５】
図８は、瓶２０を包み込んだ包装材１を包装箱２１に収納する途中の状態を示す斜視図である。包装材１を包装箱２１に収納する際に、瓶２０の自重が作用するので、収納作業は容易である。図９は、包装箱２１に包装材１を収納した状態を示した斜視図である。この状態から、包装箱２１の上部の開口を包装箱２１と一体の蓋２２で閉じることにより、包装材１の包装箱２１への収納が完了する。
【００２６】
以上、本実施形態に係る包装材１を用いた瓶２０の包装について説明したが、この包装は作業工程も少なく、特別な作業もなく、容易に瓶２０の包装を行うことができる。すなわち、図２において、折り目に沿って折り曲げた包装材１に対し、組合せ片８同士を交差させて組み合わせ、図３において底板部２に瓶２０を置けば、そのまま図４の状態になる。続いて瓶２０の左右の３層構造体２５を瓶２０側に押し付けて図５の状態とし、そのまま、図８に示したように、包装材１を包装箱２１に入れると、後は自重により、包装材１の包装箱２１への収納が完了する。
【００２７】
より具体的には、本実施形態に係る包装材１を用いた瓶２０の包装においては、包装材１の組み合せ作業は１回のみであり、幾度もの組み合せ作業は不要となる。また、図１の展開状態から図２の閉じた環状の状態にするには、図１の長尺部を折り目に沿って折り曲げるだけの１工程で足り、作業順序を気にすることなく組み立てが完了する。
【００２８】
また、本実施形態に係る包装材１は、展開形状は図１に示したように、長尺形状であり、長方形の外形から外に出た部分がない。このため、元になる材料の余剰部分が少なくなり、材料を有効利用することが可能になる。
【００２９】
次に、別の実施形態について説明する。図１０は、別の実施形態に係る包装材１の展開図を示している。図１〜９に示した前記実施形態は、包装材１が１枚の長尺部材で形成されたものであったが、図１０の実施形態では長尺部材は、底板部２８において第１の長尺部材３０と第２の長尺部材３１とが組み合わされて形成される。図１１は、第１の長尺部材３０と第２の長尺部材３１を底板部２８同士を交差して組み合わせた状態を示す展開図である。図１１の状態の基本的構成は、図１の構成と同じであるので、各部の説明は省略する。
【００３０】
図１０において、第１の長尺部材３０及び第２の長尺部材３１のいずれにおいても、底板部２８に切り込み２７を設けている。一方の底板部２８の切り込み２７に他方の底板部２８を差し込み、他方の底板部２８の切り込み２７に前記一方の底板部２８を差し込むことにより、底板部２８が交差して組み合わさって図１１の状態になる。図１２は図１１の展開状態から組み立てる途中の斜視図であり、底板部２８同士を交差させて組み合わせた状態の斜視図を示している。以後の作業工程は、図２〜９に示した前記実施形態と同じである。
【００３１】
図１０〜１２に示した実施形態は、図１〜９に示した前記実施形態に比べると、第１の長尺部材３０と第２の長尺部材３１を組み合わせる工程が追加されることにはなるが、長尺部材の１枚当たりの長さが短くなるので、元になる材料から長尺部材を打ち抜くための金型の製作が容易になる。
【符号の説明】
【００３２】
１  包装材
２，２８  底板部
３  開口
４  打ち抜き片
５  挟み片
６  側板部
７  折り曲げ片
８  組合せ片
２０  瓶
２１  包装箱
２５  ３層構造体
３０  第１の長尺部材
３１  第２の長尺部材
【要約】
【課題】瓶の保護を図る緩衝構造を設けつつ、組み立ても容易にした瓶の包装材を提供する。
【解決手段】長尺部材で形成した瓶の包装材１であって、包装材１は展開したときに、瓶の底が置かれる底板部２と、底板部２の両側に形成され、瓶の側面に嵌る開口と、開口の形成のために打ち抜かれた打ち抜き片４と、打ち抜き片４が打ち抜かれて残った部分で形成された挟み片５と、一対の挟み片５の両側に形成され、組み立てたときに側板となる側板部６と、挟み片５と側板部６との間に設けた折り曲げ片７と、両端に形成され切り込み９を設けた組合せ片８とを備えており、折り曲げ片７の位置で折り曲げ、組合せ片８同士を組み合わせて組み立てたときに、瓶の左右のそれぞれに、挟み片５と側板部６との間に打ち抜き片４がある３層構造体が形成される。
【選択図】図１【図１】
0005837716.tif 000002
【図２】
0005837716.tif 000003
【図３】
0005837716.tif 000004
【図４】
0005837716.tif 000005
【図５】
0005837716.tif 000006
【図６】
0005837716.tif 000007
【図７】
0005837716.tif 000008
【図８】
0005837716.tif 000009
【図９】
0005837716.tif 000010
【図１０】
0005837716.tif 000011
【図１１】
0005837716.tif 000012
【図１２】
0005837716.tif 000013